(57)【要約】【課題】着座面の温度低下を抑制したトイレ装置を提供する。【解決手段】機能部を覆うケースカバーを有し、便器の上に取り付けられる本体部と、ケースカバーに回転可能に取り付けられ、閉状態と開状態とに移動する便座と、を備え、ケースカバーは、前方に向かうに従って高さが低くなる延出部を有し、便座は、閉状態においてケースカバーよりも前方に位置する第１部分と、閉状態において第１部分から後方に向かって立ち上がり、延出部の上に重なる第２部分と、を有する便座本体と、便座本体の着座面を加熱する加熱部と、を有し、延出部の上端面は、前方に向かうに従って高さが低くなるとともに、側方に向かうに従って高さが低くなるように変化し、便座本体の第２部分の下端面は、閉状態において、側方に向かうに従って高さが低くなるように延出部の上端面に沿って変化することを特徴とするトイレ装置である。【選択図】図１
2018027172.tif 000002
【特許請求の範囲】
【請求項１】
機能部と、前記機能部を覆うケースカバーと、を有し、便器の上に取り付けられる本体部と、
前記ケースカバーに回転可能に取り付けられ、前記便器の上方において使用者の着座を可能とする閉状態と、前記便器の上面を露呈させる開状態と、に移動する便座と、
を備え、
前記ケースカバーは、前方に向かうに従って高さが低くなる延出部を有し、
前記便座は、
前記閉状態において前記ケースカバーよりも前方に位置する第１部分と、前記閉状態において前記第１部分から後方に向かって立ち上がり、前記延出部の上に重なり、前記ケースカバーに軸支される第２部分と、を有する便座本体と、
前記便座本体に内蔵され、前記便座本体の着座面を加熱する加熱部と、
を有し、
前記延出部の上端面は、前方に向かうに従って高さが低くなるとともに、側方に向かうに従って高さが低くなるように変化し、
前記便座本体の前記第２部分の下端面は、前記閉状態において、側方に向かうに従って高さが低くなるように前記延出部の上端面に沿って変化することを特徴とするトイレ装置。
【請求項２】
前記延出部の上端面は、凸曲面状であり、
前記便座本体の前記第２部分の下端面は、凹曲面状であり、
前記第２部分の下端面の所定位置の曲率は、前記閉状態において前記所定位置と対向する位置の前記延出部の上端面の曲率と略同一であることを特徴とする請求項１記載のトイレ装置。
【請求項３】
前後方向と直交する断面において、前記閉状態にある前記便座の前記下端面の最下点は、前記延出部の上端面の最上点よりも下方に位置することを特徴とする請求項１又は２に記載のトイレ装置。
【請求項４】
前記延出部の上端面の中央部分の高さの変化率は、前記延出部の上端面の側端部分の高さの変化率よりも小さく、
前記便座本体の前記第２部分の下端面の中央部分の高さの変化率は、前記第２部分の下端面の側端部分の高さの変化率よりも小さいことを特徴とする請求項１〜３のいずれか１つに記載のトイレ装置。
【発明の詳細な説明】
【技術分野】
【０００１】
本発明の態様は、一般的に、トイレ装置に関する。
【背景技術】
【０００２】
本体部と、この本体部に回転可能に取り付けられた便座と、を有するトイレ装置がある（例えば、特許文献１）。また、トイレ装置では、加熱部を便座に内蔵させ、便座の着座面を温めることが行われている。
【０００３】
使用者の着座にともなって、本体部に過度な力が加わることを抑制するため、本体部と便座との間には、隙間が設けられる。隙間は、本体部の上端面及び便座の下端面に沿って延び、本体部及び便座の一方の側端面から他方の側端面に向かって直線状に形成される。本体部及び便座を側方から見た時に、この隙間を介して反対側を見通すことができてしまう。このため、隙間に冷たい空気が侵入し易く、加熱部によって着座面を温める際に、着座面の温度低下を招いてしまう可能性があった。
【先行技術文献】
【特許文献】
【０００４】
【特許文献１】特開２０１１−２１６号公報
【発明の概要】
【発明が解決しようとする課題】
【０００５】
本発明は、かかる課題の認識に基づいてなされたものであり、着座面の温度低下を抑制したトイレ装置を提供することを目的とする。
【課題を解決するための手段】
【０００６】
第１の発明は、機能部と、前記機能部を覆うケースカバーと、を有し、便器の上に取り付けられる本体部と、前記ケースカバーに回転可能に取り付けられ、前記便器の上方において使用者の着座を可能とする閉状態と、前記便器の上面を露呈させる開状態と、に移動する便座と、を備え、前記ケースカバーは、前方に向かうに従って高さが低くなる延出部を有し、前記便座は、前記閉状態において前記ケースカバーよりも前方に位置する第１部分と、前記閉状態において前記第１部分から後方に向かって立ち上がり、前記延出部の上に重なり、前記ケースカバーに軸支される第２部分と、を有する便座本体と、前記便座本体に内蔵され、前記便座本体の着座面を加熱する加熱部と、を有し、前記延出部の上端面は、前方に向かうに従って高さが低くなるとともに、側方に向かうに従って高さが低くなるように変化し、前記便座本体の前記第２部分の下端面は、前記閉状態において、側方に向かうに従って高さが低くなるように前記延出部の上端面に沿って変化することを特徴とするトイレ装置である。
【０００７】
このトイレ装置によれば、便座本体の下端面と延出部の上端面との間に冷たい空気が入ったとしても、冷たい空気は、下方に下がっていく傾向にあるため、便座本体の下端面及び延出部の上端面の傾斜に沿って、外部に排出させ易くすることができる。従って、着座面の加熱を行う場合に、着座面の温度低下を抑制することができる。着座面の温度低下を抑制したトイレ装置を提供することができる。また、ケースカバーと便座とが接触することによる音や傷つきを抑制することもできる。
【０００８】
第２の発明は、第１の発明において、前記延出部の上端面は、凸曲面状であり、前記便座本体の前記第２部分の下端面は、凹曲面状であり、前記第２部分の下端面の所定位置の曲率は、前記閉状態において前記所定位置と対向する位置の前記延出部の上端面の曲率と略同一であることを特徴とするトイレ装置である。
【０００９】
このトイレ装置によれば、便座本体の下端面と延出部の上端面との間に入り込んだ冷たい空気を、より外部に排出させ易くすることができる。着座面の温度低下をより抑制することができる。
【００１０】
第３の発明は、第１又は第２の発明において、前後方向と直交する断面において、前記閉状態にある前記便座の前記下端面の最下点は、前記延出部の上端面の最上点よりも下方に位置することを特徴とするトイレ装置である。
【００１１】
このトイレ装置によれば、便座本体の下端面と延出部の上端面との間に、冷たい空気が入り込むことを抑制することができる。着座面の温度低下をより抑制することができる。また、本体部及び便座を側方から見た際に、隙間が見えなくなり、トイレ装置の意匠性を高めることもできる。
【００１２】
第４の発明は、第１〜第３の発明のいずれか１つにおいて、前記延出部の上端面の中央部分の高さの変化率は、前記延出部の上端面の側端部分の高さの変化率よりも小さく、前記便座本体の前記第２部分の下端面の中央部分の高さの変化率は、前記第２部分の下端面の側端部分の高さの変化率よりも小さいことを特徴とするトイレ装置である。
【００１３】
このトイレ装置によれば、便座本体の下端面が側端部分から中央部分まで同じ変化率で変化する場合に比べて、強度が必要な便座の側面部を補強でき、強度があまりいらない便座の中央部を薄くすることができる。そのため、着座面の温度低下を抑制しつつ、トイレ装置の大型化を抑制することができる。
【発明の効果】
【００１４】
本発明の態様によれば、着座面の温度低下を抑制したトイレ装置を提供することができる。
【図面の簡単な説明】
【００１５】
【図１】実施形態にかかるトイレ装置を表す斜視図である。
【図２】実施形態にかかるトイレ装置を表す斜視図である。
【図３】実施形態にかかるトイレ装置を表す斜視図である。
【図４】実施形態にかかるトイレ装置を表すブロック図である。
【図５】実施形態にかかるトイレ装置の一部を表す側面図である。
【図６】実施形態にかかるトイレ装置の一部を表す側面図である。
【図７】実施形態にかかるトイレ装置の一部を表す断面図である。
【図８】実施形態にかかるトイレ装置の一部を表す断面図である。
【図９】実施形態にかかるトイレ装置の一部を表す断面図である。
【図１０】実施形態にかかるトイレ装置の一部を表す断面図である。
【図１１】実施形態にかかるトイレ装置の一部を表す断面図である。
【図１２】図１２（ａ）及び図１２（ｂ）は、参考例を表す部分断面図である。
【図１３】実施形態にかかるトイレ装置の一部を表す断面図である。
【図１４】実施形態にかかるトイレ装置の一部を表す平面図である。
【発明を実施するための形態】
【００１６】
以下、実施形態について図面を参照しつつ説明する。なお、各図面中、同様の構成要素には同一の符号を付して詳細な説明は適宜省略する。  
図１〜図３は、実施形態にかかるトイレ装置を表す斜視図である。  
図１〜図３に表したように、トイレ装置２は、便座装置４と、洋式腰掛便器（以下説明の便宜上、単に「便器」と称する）６と、を備える。便座装置４は、便器６の上に取り付けられる。便座装置４は、便器６に対して一体的に取り付けてもよいし、便器６に対して着脱可能に取り付けてもよい。便器６は、トイレ装置２に必要に応じて設けられ、省略可能である。なお、図２及び図３では、便宜的に、便器６の図示を省略している。
【００１７】
便座装置４は、便座１０と、便蓋１２と、本体部１４と、を有する。便蓋１２は、便座装置４に必要に応じて設けられ、省略可能である。便座１０と便蓋１２とは、本体部１４に対して回転可能に軸支されている。
【００１８】
ここで、本願明細書においては、便座１０に座った使用者からみて上方を「上方」とし、便座１０に座った使用者からみて下方を「下方」とする。また、開いた状態の便蓋１２に背を向けて便座１０に座った使用者からみて前方を「前方」とし、後方を「後方」とし、右側を「右側方」とし、左側を「左側方」とする。
【００１９】
便器６は、ボウル部６ａを有する。ボウル部６ａは、下方に凹む凹状である。便器６は、ボウル部６ａにおいて使用者の尿や便などの排泄物を受ける。
【００２０】
便座装置４の本体部１４は、便器６のボウル部６ａよりも後方の部分の上に取り付けられる。本体部１４は、ケースカバー２０を有する。本体部１４は、ケースカバー２０において、便座１０及び便蓋１２を回転可能に軸支する。
【００２１】
ケースカバー２０は、延出部２２と、便座軸支部２４と、便蓋軸支部２６と、を有する。延出部２２は、前方に向かうに従って高さが低くなる。延出部２２は、前方に向かって連続的に下降傾斜している。また、延出部２２は、湾曲凹面２８を有する。湾曲凹面２８は、延出部２２の左右方向の中央部に設けられ、ボウル部６ａの開口端の形状に沿って凹状に湾曲している。
【００２２】
便座軸支部２４は、延出部２２の後方に設けられ、便座１０を軸支する。便蓋軸支部２６は、便座軸支部２４の後方に設けられ、便蓋１２を軸支する。
【００２３】
便座１０は、ケースカバー２０に回転可能に取り付けられ、閉状態と開状態とに移動する。便座１０の閉状態は、便器６の上方において使用者の着座を可能とする状態である（図１に表した状態）。便座１０の開状態は、便器６の上面６ｕを露呈させる状態である（図２に表した状態）。
【００２４】
便座１０は、便座本体３０と、一対のヒンジ部３１、３２と、緩衝部材３４と、を有する。便座本体３０は、ボウル部６ａを露呈させる開口部３０ａを有する。便座本体３０は、閉状態において、ボウル部６ａの外縁を囲むように便器６の上に設けられ、開口部３０ａを介してボウル部６ａを露呈させる。これにより、使用者は、便座１０に座った状態でボウル部６ａに排泄を行うことができる。この例では、貫通孔状の開口部３０ａが形成された、いわゆるＯ型の便座本体３０を示している。便座本体３０は、Ｏ型に限ることなく、Ｕ字型などでもよい。開口部３０ａは、貫通孔状に限ることなく、切り欠き状でもよい。使用状態（使用者が着座可能な状態）の便座本体３０を上方から見た形状は、環状又はＵ字状である。
【００２５】
ヒンジ部３１、３２は、便座本体３０の後端に設けられている。便座本体３０は、ヒンジ部３１、３２を介してケースカバー２０の便座軸支部２４に回転可能に軸支される。ヒンジ部３１は、便座本体３０の後端右端に設けられる。ヒンジ部３２は、便座本体３０の後端左端に設けられる。便座本体３０は、ヒンジ部３１、３２で便座軸支部２４を挟むことにより、ヒンジ部３１、３２を介してケースカバー２０に回転可能に軸支される。
【００２６】
緩衝部材３４は、便座本体３０の下端面３０ｂに設けられる。緩衝部材３４には、例えば、ゴムなどの弾性材料が用いられる。緩衝部材３４は、例えば、閉状態において便器６の上面６ｕに当接し、便座本体３０を支持する。これにより、便器６や便座本体３０の傷や破損などを抑制することができる。緩衝部材３４は、例えば、便座本体３０の下端面３０ｂに複数設けられる。緩衝部材３４の数は、任意の数でよい。緩衝部材３４は、１つでもよい。
【００２７】
便蓋１２は、ケースカバー２０の便蓋軸支部２６に回転可能に取り付けられ、便座１０を覆う閉状態（図３に表した状態）と、便座１０を露呈させる開状態（図１及び図２に表した状態）と、に移動する。便蓋１２は、便蓋１２は、閉状態において便座１０及び便器６のボウル部６ａを覆う。
【００２８】
便蓋１２は、蓋本体３６と、垂下部３８と、を有する。蓋本体３６は、閉状態において便座１０の上方を覆う。垂下部３８は、蓋本体３６の外縁から垂下し、閉状態において便座１０の側方を覆う。
【００２９】
図４は、実施形態にかかるトイレ装置を表すブロック図である。  
図４に表したように、便座１０は、加熱部４０と、温度検知センサ４２と、を内蔵する。加熱部４０は、便座１０の内部に設けられる。加熱部４０は、通電に応じて発熱することにより、便座１０の着座面（使用者のおしりが接する面）ＳＦを内側から加熱する。加熱部４０は、いわゆるヒータである。加熱部４０には、例えば、抵抗加熱手段や、電磁誘導によって加熱を行う誘導加熱手段などが用いられる。
【００３０】
温度検知センサ４２は、例えば、便座１０の着座面ＳＦの温度を検知する。着座面ＳＦの温度は、温度検知センサ４２によって直接的に検知してもよいし、温度検知センサ４２の出力を基に計算によって求めてもよい。
【００３１】
本体部１４は、機能部５０を有する。機能部５０は、例えば、制御部５２と、着座検知センサ５４と、人体検知センサ５６と、を有する。機能部５０は、ケースカバー２０の内部空間に収容される。すなわち、ケースカバー２０は、機能部５０を覆う。
【００３２】
着座検知センサ５４は、使用者が便座１０に着座する直前において便座１０の上方に存在する人体や、便座１０に着座した使用者を検知することができる。着座検知センサ５４は、便座１０に着座した使用者だけではなく、便座１０の上方に存在する使用者を検知してもよい。このような着座検知センサ５４としては、例えば、赤外線投受光式の測距センサを用いることができる。着座検知センサ５４は、使用者が着座した際の荷重によってＯＮ／ＯＦＦが行われるスイッチであってもよい。着座検知センサ５４は、使用者の着座の検知に応答して、着座の検知を表す信号を制御部５２に出力する。
【００３３】
人体検知センサ５６は、便器６の前方にいる使用者、すなわち便座１０から前方へ離間した位置に存在する使用者を検知する。つまり、人体検知センサ５６は、トイレ室に入室して便座１０に近づいてきた使用者を検知する。このような人体検知センサ５６としては、例えば、赤外線投受光式の測距センサを用いることができる。人体検知センサ５６は、人体の検知に応答して、人体の検知を表す信号を制御部５２に出力する。
【００３４】
制御部５２は、着座検知センサ５４及び人体検知センサ５６と接続されるとともに、便座１０の加熱部４０及び温度検知センサ４２と接続されている。制御部５２は、温度検知センサ４２からの検知信号に基づいて加熱部４０への通電量を制御する。
【００３５】
制御部５２は、例えば、非使用時には加熱部４０への通電を停止または通電量を小さくして便座１０の着座面ＳＦを低めの温度に設定し、使用時には加熱部４０への通電量を大きくして便座１０の着座面ＳＦを急速加熱することにより、着座面ＳＦを適温に昇温させる即暖運転モードを実行する。
【００３６】
制御部５２は、加熱部４０への通電量を抑えた待機状態において、人体検知センサ５６の検知結果を基に、使用者の検知を行う。制御部５２は、人体検知センサ５６によって使用者を検知すると、加熱部４０への通電量を大きくし、予め設定された設定温度に便座１０の着座面ＳＦの温度を加熱する。
【００３７】
この際、人体検知センサ５６による使用者の検知から使用者が便座１０に着座するまでの時間を統計によって予め求めておく。制御部５２は、この時間よりも短い時間で設定温度までの加熱を完了させる。これにより、着座面ＳＦの温度が低い状態のまま使用者が便座１０に着座してしまうことを抑制することができる。待機状態の温度から設定温度への急速な加熱を使用者に体感させてしまうことを抑制することができる。
【００３８】
制御部５２は、例えば、温度検知センサ４２の検知結果を基に、着座面ＳＦの温度が設定温度まで上昇したか否かを判定する。制御部５２は、設定温度まで上昇したことを確認すると、着座面ＳＦの温度が設定温度に実質的に一定となるように、加熱部４０への通電量を制御する。すなわち、制御部５２は、着座面ＳＦの温度を設定温度まで上昇させた後、着座面ＳＦの温度を設定温度に保温する制御を行う。これにより、快適な温度の便座１０を使用者に提供することができる。
【００３９】
また、制御部５２は、例えば、着座検知センサ５４の検知結果を基に、使用者が便座１０から離れたこと検知し、この検知に応答して、着座面ＳＦの温度を設定温度から待機状態の温度に下げる。
【００４０】
制御部５２は、即暖運転モードに限ることなく、例えば、着座面ＳＦの温度を常に設定温度に保温する保温運転モードを行ってもよい。制御部５２は、例えば、即暖運転モードや保温運転モードなどの複数の運転モードを切り替えられるようにしてもよい。
【００４１】
このように、機能部５０は、例えば、便座１０の着座面ＳＦを暖房する暖房便座機能を有する。機能部５０は、例えば、便座１０に座った使用者の「おしり」などに向けて水（お湯や冷水）を噴出し、使用者の「おしり」などを洗浄する衛生洗浄機能を有してもよい。さらには、便座１０に座った使用者の「おしり」などに向けて温風を吹き付けて乾燥させる「温風乾燥機能」や「脱臭機能」や「室内暖房機能」などの各種の機能をさらに有してもよい。機能部５０の機能は、上記に限ることなく、トイレ装置２において用いられる任意の機能でよい。
【００４２】
図５は、実施形態にかかるトイレ装置の一部を表す側面図である。  
図５に表したように、便座１０の便座本体３０は、第１部分６１と、第２部分６２と、を有する。第１部分６１は、閉状態においてケースカバー２０よりも前方に位置する。第２部分６２は、閉状態において第１部分６１から後方に向かって立ち上がり、延出部２２の上に重なる。ヒンジ部３１、３２は、第２部分６２の後端に設けられている。これにより、第２部分６２は、ケースカバー２０に軸支される。なお、図５では、便宜的に、便器６及び便蓋１２の図示を省略している。
【００４３】
第２部分６２の側面下端６２ａは、閉状態において、延出部２２の側面上端２２ａと略平行である。便座１０及び本体部１４を側方から見た状態において、第２部分６２の側面下端６２ａと延出部２２の側面上端２２ａとの間に空く上下方向の隙間ＳＰ１は、前後方向に沿って実質的に一定である。ここで、「側面下端６２ａと側面上端２２ａとが略平行」とは、例えば、側面下端６２ａと側面上端２２ａとが上下方向において対向する領域の全体に亘って、隙間ＳＰ１の長さの偏差が、２ｍｍ以下の状態である。より好ましくは、隙間ＳＰ１の長さの偏差が、１ｍｍ以下の状態である。
【００４４】
延出部２２は、前方に向かって連続して下降傾斜している。第２部分６２の側面下端６２ａは、閉状態において、第２部分６２の後端６２ｂから延出部２２の前端２２ｆまで、延出部２２の側面上端２２ａと略平行である。
【００４５】
また、ヒンジ部３２の側面は、四角形状である。ヒンジ部３２の側面は、第２部分６２の側面と連続する。そして、ヒンジ部３２の側面下端３２ａは、閉状態において、延出部２２の側面上端２２ａと略平行である。なお、「四角形状」には、例えば、四角形の角が丸められたもの、四角形の各辺が僅かに湾曲しているものなども含むものとする。また、ヒンジ部３１の構成は、ヒンジ部３２の構成と実質的に同じであるから、詳細な説明は省略する。
【００４６】
図６は、実施形態にかかるトイレ装置の一部を表す側面図である。  
図６に表したように、便蓋１２は、第１領域７１と、第２領域７２と、を有する。第１領域７１は、閉状態においてケースカバー２０よりも前方に位置する。第２領域７２は、閉状態において第１領域７１から後方に向かって立ち上がり、延出部２２の上に重なり、ケースカバー２０に軸支される。
【００４７】
便蓋１２の第２領域７２の左右方向の幅は、ケースカバー２０の左右方向の幅と実質的に同じである。便蓋１２の第２領域７２の側面は、閉状態において、ケースカバー２０の側面と略連続面を形成する。これにより、便蓋１２を閉じた状態のトイレ装置２の意匠性を高めることができる。
【００４８】
第２領域７２の側面下端７２ａは、閉状態において、延出部２２の側面上端２２ａと略平行である。第２領域７２の側面下端７２ａは、換言すれば、第２領域７２における垂下部３８の下端である。便蓋１２及び本体部１４を側方から見た状態において、第２領域７２の側面下端７２ａと延出部２２の側面上端２２ａとの間に空く上下方向の隙間ＳＰ２は、前後方向に沿って実質的に一定である。
【００４９】
隙間ＳＰ２は、例えば、１ｍｍ以上５ｍｍ以下である。これにより、例えば、便蓋１２の下端が本体部１４に当接することを抑制しつつ、便蓋１２を閉じた状態のトイレ装置２の意匠性をより高めることができる。
【００５０】
第１領域７１の垂下部３８の下端は、閉状態において、便座本体３０よりも下方、かつ緩衝部材３４の下端よりも上方に位置する。すなわち、閉状態の便蓋１２を側方から見た状態において、垂下部３８は、便座本体３０の全体を覆う。
【００５１】
垂下部３８の前端面３８ａは、閉状態において、下方に向かうに従って後退するように変化する。すなわち、垂下部３８の前端面３８ａは、逆テーパ状に傾斜している。垂下部３８の前端面３８ａは、直線状に傾斜させてもよいし、曲線状に湾曲させてもよい。
【００５２】
図７は、実施形態にかかるトイレ装置の一部を表す断面図である。  
図７は、図３のＡ１−Ａ２線断面を表す。  
図２及び図７に表したように、延出部２２の上端面２２ｕは、前方に向かうに従って高さが低くなるとともに、側方に向かうに従って高さが低くなるように変化する。換言すれば、延出部２２の上端面２２ｕは、側方に向かうに従って、緩やかに下降傾斜する。
【００５３】
便座本体３０の第２部分６２の下端面３０ｂは、閉状態において、側方に向かうに従って高さが低くなるように、延出部２２の上端面２２ｕに沿って変化する。便座本体３０の第２部分６２の下端面３０ｂは、閉状態において、側方に向かうに従って、緩やかに下降傾斜する。
【００５４】
延出部２２の上端面２２ｕは、例えば、凸曲面状である。便座本体３０の第２部分６２の下端面３０ｂは、例えば、凹曲面状である。第２部分６２の下端面３０ｂの所定位置の曲率は、例えば、閉状態において所定位置と対向する位置の延出部２２の上端面２２ｕの曲率と略同一である。第２部分６２の下端面３０ｂの所定位置の曲率は、例えば、閉状態において所定位置と対向する位置の延出部２２の上端面２２ｕの曲率の０．９倍以上１．１倍以下である。換言すれば、前後方向と直交する断面において、第２部分６２の下端面３０ｂは、延出部２２の上端面２２ｕと略平行である。
【００５５】
延出部２２の上端面２２ｕは、凸曲面状に限ることなく、例えば、直線状に傾斜させてもよい。同様に、便座本体３０の第２部分６２の下端面３０ｂは、凹曲面状に限ることなく、例えば、直線状に傾斜させてもよい。
【００５６】
図７に表したように、前後方向と直交する断面において、閉状態にある便座１０の下端面３０ｂの最下点ＭＬＰ１は、延出部２２の上端面２２ｕの最上点ＭＨＰよりも下方に位置する。閉状態にある便座１０の下端面３０ｂの最下点ＭＬＰ１は、側方から見た時に、延出部２２に重なる。
【００５７】
前後方向と直交する断面において、閉状態にある便蓋１２の垂下部３８の最下点ＭＬＰ２は、延出部２２の上端面２２ｕの最上点ＭＨＰよりも下方に位置する。閉状態にある便蓋１２の垂下部３８の最下点ＭＬＰ２は、側方から見た時に、延出部２２に重なる。
【００５８】
延出部２２の上端面２２ｕの左右方向の中央部分の高さの変化率は、延出部２２の上端面２２ｕの側端部分の高さの変化率よりも小さい。上端面２２ｕの中央部分は、左右方向に延びる平面状であり、側方に向かうに従って、傾斜が大きくなる。
【００５９】
便座本体３０の第２部分６２の下端面３０ｂの中央部分の高さの変化率は、第２部分６２の下端面３０ｂの側端部分の高さの変化率よりも小さい。第２部分６２の下端面３０ｂの中央部分は、左右方向に延びる平面状であり、側方に向かうに従って、傾斜が大きくなる。
【００６０】
また、図７に表したように、前後方向と直交する断面において、便座本体３０の第２部分６２の上端面３０ｕ（着座面ＳＦ）の中央部分の高さＨ１１は、便座本体３０の第２部分６２の上端面３０ｕの側端部の高さＨ１２よりも低い。便座本体３０の第２部分６２の上端面３０ｕは、例えば、凹曲面状である。
【００６１】
図８は、実施形態にかかるトイレ装置の一部を表す断面図である。  
図８は、図７において破線で囲んだ領域Ｂ１を拡大して表す。  
図８に表したように、便蓋１２の垂下部３８の内側面３８ｎの下端部は、第２領域７２において、下方に向かうに従って外側に広がるように変化する。垂下部３８は、内側面３８ｎを外側に向けて傾斜させることにより、下端部をテーパ状に形成する。第２領域７２の垂下部３８の下端部は、下方に向かうに従って薄くなる。
【００６２】
垂下部３８の内側面３８ｎは、直線状に傾斜させてもよいし、曲線状に湾曲させてもよい。垂下部３８の内側面３８ｎの傾斜角度θは、例えば、１０°以上３０°以下程度である。傾斜角度θは、上記に限ることなく、任意の角度でよい。
【００６３】
図９は、実施形態にかかるトイレ装置の一部を表す断面図である。  
図９は、図６のＣ１−Ｃ２線断面を表す。  
図９に表したように、便蓋１２の垂下部３８は、第１領域７１においては、テーパ形状を有しない。第１領域７１における垂下部３８は、上端部から下端部まで実質的に同じ厚さである。第１領域７１において、垂下部３８の内側面３８ｎは、上端部から下端部まで略直線状に延びる。従って、第１領域７１における垂下部３８の下端の幅Ｗ１は、第２領域７２における垂下部３８の下端の幅Ｗ２（図８参照）よりも広い。
【００６４】
なお、上記に限ることなく、第１領域７１の垂下部３８の下端部にテーパ形状を形成してもよい。第１領域７１において、垂下部３８の内側面３８ｎの下端部を、下方に向かうに従って外側に広がるように変化させてもよい。すなわち、便蓋１２の垂下部３８の下端部の全体にテーパ形状を形成してもよい。
【００６５】
図１０は、実施形態にかかるトイレ装置の一部を表す断面図である。  
図１０は、図１のＤ１−Ｄ２線断面を表す。  
図１０に表したように、便座軸支部２４の上端面２４ｕは、前方に向かうに従って高さが低くなる。便座軸支部２４の上端面２４ｕは、前方に向かって連続的に下降傾斜している。
【００６６】
便蓋軸支部２６の上端面２６ｕは、前方に向かうに従って高さが低くなる。便蓋軸支部２６の上端面２６ｕは、例えば、便座軸支部２４の上端面２４ｕと略平行である。便座軸支部２４の上端面２４ｕの前後方向の長さＬＧ１は、便蓋軸支部２６の上端面２６ｕの前後方向の長さＬＧ２よりも長い。
【００６７】
図１１は、実施形態にかかるトイレ装置の一部を表す断面図である。  
図１１は、図１０の便座本体３０及び便座軸支部２４に関する部分を拡大して表す。  
図１０及び図１１に表したように、便座軸支部２４の上端面２４ｕは、便座本体３０の第２部分６２の上端面３０ｕ（着座面ＳＦ）と略連続面を形成する。便座軸支持部２４の上端面２４ｕの最前端の左右方向に向かう高さ変化は、第２部分６２の上端面３０ｕの最後端の左右方向に向かう高さ変化と略同一である（例えば図１参照）。換言すれば、便座軸支持部２４の上端面２４ｕの最前端は、第２部分６２の上端面３０ｕの最後端と略平行である。便座軸支持部２４の上端面２４ｕの最前端の左右方向に向かう高さ変化、及び第２部分６２の上端面３０ｕの最後端の左右方向に向かう高さ変化は、例えば、略水平である。
【００６８】
ここで、「略連続面」とは、例えば、左右方向と直交する断面において、仮想線ＶＬと接線ＴＬ１との成す角度α１が５°以下であり、かつ仮想線ＶＬと接線ＴＬ２との成す角度α２が５°以下の状態である。仮想線ＶＬは、左右方向と直交する断面において、便座本体３０の上端面３０ｕの後端と、便座軸支部２４の上端面２４ｕの前端と、を結ぶ仮想的な線である。接線ＴＬ１は、左右方向と直交する断面において、便座本体３０の上端面３０ｕの後端部に対する接線である。接線ＴＬ２は、左右方向と直交する断面において、便座軸支部２４の上端面２４ｕの前端部に対する接線である。
【００６９】
図１２（ａ）及び図１２（ｂ）は、参考例を表す部分断面図である。  
図１２（ａ）に表したように、便座本体３０の上端面３０ｕと、便座軸支部２４の上端面２４ｕと、の間に大きな段差が形成されている場合には、角度α１、α２の少なくとも一方が５°よりも大きくなる。同様に、図１２（ｂ）に表したように、便座本体３０の上端面３０ｕの傾斜角度が、便座軸支部２４の上端面２４ｕの傾斜角度と大きく異なる場合にも、角度α１、α２の少なくとも一方が５°よりも大きくなる。また、接線ＴＬ１と水平面のなす角度は、１８．５°で、接線ＴＬ２と水平面のなす角度は、２３．５°に設定されている。なお、接線ＴＬ２と水平面の角度は、２２°から４０°の範囲に設定される。
【００７０】
このように、仮想線ＶＬと接線ＴＬ１との成す角度α１を５°以下とし、かつ仮想線ＶＬと接線ＴＬ２との成す角度α２を５°以下とする。これにより、便座本体３０の上端面３０ｕと、便座軸支部２４の上端面２４ｕと、を略連続した面として認識させることができる。変曲点を中心に、凸方向にそれぞれの角度が設定されて、角度差は１０°以下が望ましく、さらには５°以下が望ましい。凸方向であればケースカバー２０に接触しにくいため、快適性が保たれる（ヒーターによって温められないため冷たいケースカバー２０に触れる可能性が低くなる）。また、凹方向の場合は便座１０とケースカバー２０の両方に触れ、使用者が気付きやすい。
【００７１】
図１３は、実施形態にかかるトイレ装置の一部を表す断面図である。  
図１３は、図３のＥ１−Ｅ２線断面を表す。  
図７に関して説明したように、前後方向と直交する断面において、便座本体３０の第２部分６２の上端面３０ｕ（着座面ＳＦ）の中央部分の高さＨ１１は、便座本体３０の第２部分６２の上端面３０ｕの側端部の高さＨ１２よりも低い。
【００７２】
一方、図１３に表したように、前後方向と直交する断面において、便座軸支部２４の上端面２４ｕの中央部の高さＨ２１は、便座軸支部２４の上端面２４ｕの側端部の高さＨ２２よりも高い。便座軸支部２４の上端面２４ｕは、例えば、凸曲面状である。
【００７３】
このように、便座軸支持部２４の上端面２４ｕの中央部は、後方に向かうに従って高くなる変化量が、便座軸支持部２４の上端面２４ｕの側端部の後方に向かうに従って高くなる変化量より大きい。そして、第２部分６２の上端面３０ｕの中央部は、前方に向かうに従って低くなる変化量が、第２部分６２の上端面３０ｕの側端部の前方に向かうに従って低くなる変化量より大きい。
【００７４】
図１４は、実施形態にかかるトイレ装置の一部を表す平面図である。  
図１４に表したように、ヒンジ部３２の上端面３２ｕは、上面視において、四角形状である。ヒンジ部３２の上端面３２ｕは、便座本体３０の第２部分６２の上端面３０ｕ及び便座軸支部２４の上端面２４ｕと略連続面を形成する。ヒンジ部３２の上端面３２ｕは、例えば、便座本体３０の上端面３０ｕと連続する。
【００７５】
なお、ヒンジ部３２の上端面３２ｕの形状は、四角形状に限ることなく、任意の形状でよい。ヒンジ部３１の構成は、ヒンジ部３２の構成と実質的に同じであるから、詳細な説明は省略する。「四角形状」及び「略連続面」の定義は、前述と同様とする。
【００７６】
以上、説明したように、本実施形態に係るトイレ装置２によれば、第２部分６２の側面下端６２ａを、閉状態において、延出部２２の側面上端２２ａと略平行とすることにより、便座１０とケースカバー２０との間の隙間が不均一な場合と比べて、意匠性を高めることができる。良好な意匠性のトイレ装置２を提供することができる。また、隙間を略一定とすることにより、不均一な場合と比べて、第２部分６２の側面及び延出部２２の側面を拭き易くし、清掃性を向上させることもできる。
【００７７】
また、延出部２２を前方に向かって連続して下降傾斜させ、第２部分６２の側面下端６２ａを、閉状態において、第２部分６２の後端から延出部２２の前端まで、延出部２２の側面上端２２ａと略平行とすることにより、延出部２２の前端と便座１０との間に空く隙間を抑制し、トイレ装置２の意匠性をより高めることができる。
【００７８】
また、ヒンジ部３１、３２の側面を四角形状とし、第２部分６２の側面と連続させ、かつ閉状態において、延出部２２の側面上端２２ａと略平行とすることにより、ヒンジ部３１、３２とケースカバー２０との間に空く隙間を抑制し、トイレ装置２の意匠性をより高めることができる。
【００７９】
また、第２領域７２の側面下端７２ａを、閉状態において、延出部２２の側面上端２２ａと略平行とすることにより、便蓋１２を閉じた状態におけるトイレ装置２の意匠性を高めることができる。
【００８０】
また、トイレ装置２では、延出部２２の上端面２２ｕを、前方に向かうに従って高さが低くなるとともに、側方に向かうに従って高さが低くなるように変化させる。そして、便座本体３０の第２部分６２の下端面３０ｂを、閉状態において、側方に向かうに従って高さが低くなるように延出部２２の上端面２２ｕに沿って変化させる。便座本体３０の下端面３０ｂと延出部２２の上端面２２ｕとの間に冷たい空気が入ったとしても、冷たい空気は、下方に下がっていく傾向にあるため、便座本体３０の下端面３０ｂ及び延出部２２の上端面２２ｕの傾斜に沿って、外部に排出させ易くすることができる。従って、着座面ＳＦの加熱を行う場合に、着座面ＳＦの温度低下を抑制することができる。着座面ＳＦの温度低下を抑制したトイレ装置２を提供することができる。また、ケースカバー２０と便座１０とが接触することによる音や傷つきを抑制することもできる。
【００８１】
また、延出部２２の上端面２２ｕが、側方に向かうに従って緩やかに下降傾斜することにより、上端面２２ｕに段差が有る場合などに比べ、上端面２２ｕを拭き易くすることができる。トイレ装置２の清掃性を向上させることもできる。
【００８２】
また、第２部分６２の下端面３０ｂの所定位置の曲率を、閉状態において所定位置と対向する位置の延出部２２の上端面２２ｕの曲率と略同一とすることにより、便座本体３０の下端面３０ｂと延出部２２の上端面２２ｕとの間に入り込んだ冷たい空気を、より外部に排出させ易くすることができる。着座面ＳＦの温度低下をより抑制することができる。
【００８３】
また、前後方向と直交する断面において、閉状態にある便座１０の下端面３０ｂの最下点を、延出部２２の上端面２２ｕの最上点よりも下方に位置させることにより、便座本体３０の下端面３０ｂと延出部２２の上端面２２ｕとの間に、冷たい空気が入り込むことを抑制することができる。着座面ＳＦの温度低下をより抑制することができる。また、本体部１４及び便座１０を側方から見た際に、隙間が見えなくなり、トイレ装置２の意匠性を高めることもできる。
【００８４】
また、延出部２２の上端面２２ｕの中央部分の高さの変化率を、延出部２２の上端面２２ｕの側端部分の高さの変化率よりも小さくし、便座本体３０の第２部分６２の下端面３０ｂの中央部分の高さの変化率を、第２部分６２の下端面３０ｂの側端部分の高さの変化率よりも小さくする。これにより、便座本体３０の下端面３０ｂが側端部分から中央部分まで同じ変化率で変化する場合に比べて、強度が必要な便座１０の側面部を補強でき、強度があまりいらない便座１０の中央部を薄くすることができる。そのため、着座面ＳＦの温度低下を抑制しつつ、トイレ装置２の大型化を抑制することができる。
【００８５】
また、トイレ装置２では、便座軸支部２４の上端面２４ｕが、第２部分６２の上端面３０ｕと略連続面を形成する。これにより、使用者が便座１０に対して深く座った場合にも、使用者に嫌悪感を与えてしまうことを抑制することができる。また、便座軸支部２４の上端面２４ｕの部分により、着座面ＳＦが広くなった印象を与え、使用者に安心感を与えることができる。便座軸支部２４の上端面２４ｕと、第２部分６２の上端面３０ｕとが不連続な場合と比べて、トイレ装置２の意匠性を高めることができる。良好な使い勝手のトイレ装置２を提供することができる。
【００８６】
また、第２部分６２の上端面３０ｕの中央部を、第２部分６２の上端面３０ｕの側端部よりも低くすることにより、第２部分６２の上端面３０ｕの形状を、人体の臀部の形状に合わせ、座り心地を向上させることができる。また、便座軸支部２４の上端面２４ｕの中央部を、便座軸支部２４の上端面２４ｕの側端部よりも高くすることにより、使用者の臀部が便座軸支部２４の上端面２４ｕに当たった際に、嫌悪感を抑制しつつ、ケースカバー２０の上に乗っていることを使用者に気付かせることができる。嫌悪感を与えてしまうことを抑制しつつ、使用者を便座１０の適正な位置に誘導することができる。
【００８７】
また、便座軸支部２４の上端面２４ｕの前後方向の長さを、便蓋軸支部２６の上端面２６ｕの前後方向の長さよりも長くすることにより、使用者が便座１０に対して深く座った場合にも、使用者に嫌悪感を与えてしまうことをより抑制することができる。また、ケースカバー２０と便座１０とをより一体的に見せ、トイレ装置２の意匠性を高めることもできる。
【００８８】
また、ヒンジ部３１、３２の上端面を四角形状とし、第２部分６２の上端面３０ｕ及び便座軸支部２４の上端面２４ｕと略連続面を形成することにより、ケースカバー２０と便座１０とをより一体的に見せ、トイレ装置２の意匠性をより高めることができる。
【００８９】
また、トイレ装置２では、垂下部３８の内側面３８ｎの下端部が、下方に向かうに従って外側に広がるように変化する。これにより、垂下部３８の下端がケースカバー２０に当接した際に、垂下部３８の下端が外側に広がり、ケースカバー２０に加わる力を外側に逃がすことができる。従って、意匠性の低下を招くことなく、便蓋１２の上に使用者が乗った場合などにも、本体部１４の傷付きや破損を抑制し、高い信頼性を得ることができる。
【００９０】
また、延出部２２の上端面２２ｕが、側方に向かうに従って高さが低くなるように変化することにより、垂下部３８の下端がケースカバー２０に当接した際に、垂下部３８の下端をより外側に広げ易くすることができる。本体部１４の傷付きや破損をより抑制することができる。
【００９１】
また、前後方向と直交する断面において、閉状態にある便蓋１２の垂下部３８の最下点が、延出部２２の上端面２２ｕの最上点よりも下方に位置することにより、本体部１４及び便蓋１２を側方から見た際に、隙間が見えなくなり、トイレ装置２の意匠性をより高めることができる。
【００９２】
また、便蓋１２の第１領域７１の下端の幅を、第２領域７２の下端の幅よりも広くすることにより、便蓋１２を手で開閉する際に、第１領域７１の下端を持ち易くすることができる。また、第１領域７１の下端が便器６などに当接した際に、便器６や便蓋１２の傷付きや破損を抑制することができる。
【００９３】
また、垂下部３８の下端が、閉状態において、便座本体３０よりも下方、かつ緩衝部材３４の下端よりも上方に位置することにより、側方から見た際の便座本体３０の視認を抑制し、トイレ装置２の意匠性を高めることができる。また、意匠性を高めつつ、便蓋１２の便器６への当接を抑制することができる。また、便座本体３０と便器６の上端との隙間からの空気の流れを抑制することができるので、暖房機能を有した便座１０の場合、便座１０の保温性を高めることになり、トイレ装置２の省エネになる。
【００９４】
また、垂下部３８の前端面３８ａが、閉状態において、下方に向かうに従って後退するように変化することにより、垂下部３８の下端を、便座本体３０の下方まで延在させた場合にも、垂下部３８の前端面３８ａに手をかかり易くし、便蓋１２を手で開閉し易くすることができる。
【００９５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置２などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９６】
２ トイレ装置、  ４ 便座装置、  ６ 便器、  １０ 便座、  １２ 便蓋、  １４ 本体部、  ２０ ケースカバー、  ２２ 延出部、  ２４ 便座軸支部、  ２６ 便蓋軸支部、  ２８ 湾曲凹面、  ３０ 便座本体、  ３１、３２ ヒンジ部、  ３４ 緩衝部材、  ３６ 蓋本体、  ３８ 垂下部、  ４０ 加熱部、  ４２ 温度検知センサ、  ５０ 機能部、  ５２ 制御部、  ５４ 着座検知センサ、  ５６ 人体検知センサ、  ６１ 第１部分、  ６２ 第２部分、  ７１ 第１領域、  ７２ 第２領域
【図１】
2018027172.tif 000003
【図２】
2018027172.tif 000004
【図３】
2018027172.tif 000005
【図４】
2018027172.tif 000006
【図５】
2018027172.tif 000007
【図６】
2018027172.tif 000008
【図７】
2018027172.tif 000009
【図８】
2018027172.tif 000010
【図９】
2018027172.tif 000011
【図１０】
2018027172.tif 000012
【図１１】
2018027172.tif 000013
【図１２】
2018027172.tif 000014
【図１３】
2018027172.tif 000015
【図１４】
2018027172.tif 000016